(57)【要約】【課題】製造コストを低減でき、かつ高い色再現性を実現可能な画像表示装置を提供すること。【解決手段】光を供給する光源部であるＬＥＤ１２Ｒ、１２Ｇ、１２Ｂと、光源部からの光を画像信号に応じて変調する空間光変調装置１４Ｒ、１４Ｇ、１４Ｂと、画像信号に応じて変調された光が出射される間の一定期間内において空間光変調装置からの光の強度を計測する計測部である光センサ２６と、計測部による計測の結果に基づいて光源部及び空間光変調装置の少なくとも一方の駆動を制御することにより、空間光変調装置からの光の強度を調整する調整部２３と、を有する。【選択図】図１
2008102305.tif 000002
【特許請求の範囲】
【請求項１】
光を供給する光源部と、
前記光源部からの光を画像信号に応じて変調する空間光変調装置と、
前記画像信号に応じて変調された光が出射される間の一定期間内において前記空間光変調装置からの光の強度を計測する計測部と、
前記計測部による計測の結果に基づいて前記光源部及び前記空間光変調装置の少なくとも一方の駆動を制御することにより、前記空間光変調装置からの光の強度を調整する調整部と、を有することを特徴とする画像表示装置。
【請求項２】
前記空間光変調装置は、前記画像信号に応じて制御される第１の状態から、前記画像信号以外の他の信号に応じて制御される第２の状態へ切り替えられ、
前記計測部は、前記第２の状態における前記空間光変調装置からの光の強度を計測することを特徴とする請求項１に記載の画像表示装置。
【請求項３】
前記空間光変調装置は、前記第２の状態における全画面の階調が、前記第１の状態における全画面の階調の平均値と略一致するように制御されることを特徴とする請求項２に記載の画像表示装置。
【請求項４】
前記計測部は、前記画像信号に応じて変調された光の強度を計測することを特徴とする請求項１に記載の画像表示装置。
【請求項５】
前記調整部は、前記空間光変調装置から出射される光の平均強度に応じて前記空間光変調装置からの光の強度を調整することを特徴とする請求項１〜４のいずれか一項に記載の画像表示装置。
【請求項６】
前記空間光変調装置からの光の光路内及び光路外へ前記計測部を移動させる移動部を有することを特徴とする請求項１〜５のいずれか一項に記載の画像表示装置。
【請求項７】
前記移動部は、前記空間光変調装置からの光の光路内における複数の位置へ前記計測部を移動させることを特徴とする請求項６に記載の画像表示装置。
【請求項８】
前記空間光変調装置からの光を投写させる投写レンズを有し、
前記移動部は、前記投写レンズ内の像平面、又は前記像平面の近傍へ前記計測部を移動させることを特徴とする請求項６又は７に記載の画像表示装置。
【発明の詳細な説明】
【技術分野】
【０００１】
本発明は、画像表示装置、特に、画像信号に応じて変調された光を用いて画像を表示する画像表示装置の技術に関する。
【背景技術】
【０００２】
固体光源、特に、発光ダイオード素子（ＬＥＤ）は、小型である、瞬時の点灯及び消灯が可能である、色純度が高い、長寿命である等の特長から、画像表示装置に用いることが期待されている。ＬＥＤは、素子の温度変化によって発光強度が容易に変化するという性質が知られている。点灯時間が経過するほど素子の発熱量が増大するため、安定した光量の光によって画像を表示することが困難となる。また、ＬＥＤの構造及び材料は色光ごとに異なることから、発光強度の温度依存性は、発生させる色光ごとに異なってくる。光の強度が色ごとに異なる度合いで変化すると、画像の色バランスが崩れることにより、色再現性の低下を引き起こすことになる。このため、特に、赤色（Ｒ）用、緑色（Ｇ）用、青色（Ｂ）用の各ＬＥＤを用いる場合、点灯時間の経過に伴って高い色再現性を維持することが困難となる。これに対して、従来、照明光を検出し、検出結果に応じて光源を制御することで高い色再現性を保持する技術が提案されている（例えば、特許文献１参照）。
【０００３】
【特許文献１】特開２００４−３１７８００号公報
【発明の開示】
【発明が解決しようとする課題】
【０００４】
特許文献１では、空間光変調装置の表示領域の外周部に設けられた光電変換素子を用いて照明光を検出する技術が提案されている。空間光変調装置の表示領域以外の領域に光電変換素子を追加すると、製造工程の複雑化、製造に必要な時間の延長、歩留まりの低下等が生じることとなる。このため、従来の空間光変調装置を用いる場合と比較して製造コストが増大してしまう。また、表示領域の外周部のみにおいて照明光の検出を行うことから、照明光学系の機械的精度等によっては計測値が変動する場合がある。計測値が変動する場合、光源の正確な制御が困難となる。
【０００５】
空間光変調装置の特性、例えば液晶表示装置の透過率特性は、温度に依存して変化することがある。色再現性の低下は、光源による発光強度の経時変化のみならず、空間光変調装置の経時変化によっても引き起こされる。空間光変調装置内に設けられた光電変換素子を用いる場合、空間光変調装置の経時変化による色再現性の低下には対応できないこととなる。さらに、空間光変調装置内に光電変換素子を設けることで、光電変換素子自体の温度上昇が生じる。このため、光電変換素子の温度特性に起因する計測ずれを補正するための構成が必要となる。以上のように、従来の技術によると、製造コストを低減可能とし、かつ高い色再現性を実現することが困難であるという問題を生じる。本発明は、上述の問題に鑑みてなされたものであり、製造コストを低減でき、かつ高い色再現性を実現可能な画像表示装置を提供することを目的とする。
【課題を解決するための手段】
【０００６】
上述した課題を解決し、目的を達成するために、本発明によれば、光を供給する光源部と、光源部からの光を画像信号に応じて変調する空間光変調装置と、画像信号に応じて変調された光が出射される間の一定期間内において空間光変調装置からの光の強度を計測する計測部と、計測部による計測の結果に基づいて光源部及び空間光変調装置の少なくとも一方の駆動を制御することにより、前記空間光変調装置からの光の強度を調整する調整部と、を有することを特徴とする画像表示装置を提供することができる。
【０００７】
調整部は、空間光変調装置からの複数の色光の強度を調整することにより、画像の色バランスを補正する。調整部による光の強度の調整は、画像を表示する間の一定期間内、例えば１フレーム期間内において行う。空間光変調装置からの光の強度に応じた調整により、光源部のみならず空間光変調装置が経時変化を生じた場合であっても高い色再現性を維持することができる。光の強度を計測するための計測部は空間光変調装置の外に設置可能であるため、空間光変調装置内に計測部を設ける場合より製造コストを低減できる。例えば、空間光変調装置から投写光学系の方向以外の方向へ進行する漏れ光を検出することで、計測部は、全画面についての光の平均強度を算出できる。また、計測を行う一定期間内において空間光変調装置からの光の光路中に計測部を移動させることで、計測部は、光路の中心付近における光の強度を計測できる。光路の中心付近における光は、画像の状態へ大きな影響を及ぼすものである。このように実効性の高い計測を行うことで、画像の色バランスを正確に調整することができる。さらに、空間光変調装置の外に計測部を設置することで、計測部の温度上昇に起因する計測ずれの補正も不要にできる。これにより、製造コストを低減でき、かつ高い色再現性を実現可能な画像表示装置を得られる。
【０００８】
また、本発明の好ましい態様としては、空間光変調装置は、画像信号に応じて制御される第１の状態から、画像信号以外の他の信号に応じて制御される第２の状態へ切り替えられ、計測部は、第２の状態における空間光変調装置からの光の強度を計測することが望ましい。空間光変調装置は、第２の状態において例えば全画面の階調を一定とする制御信号に応じて制御される。これにより、全画面の階調を一定とする等の所定の状態における計測結果を用いて色バランスの補正ができる。空間光変調装置を第２の状態とする期間を短くすることで、画像観賞へ及ぼす影響を低減できる。
【０００９】
また、本発明の好ましい態様としては、空間光変調装置は、第２の状態における全画面の階調が、第１の状態における全画面の階調の平均値と略一致するように制御されることが望ましい。第１の状態における階調の平均値と第２の状態における全画面の階調とを略一致させることで、画像のちらつきを低減することができる。
【００１０】
また、本発明の好ましい態様としては、計測部は、画像信号に応じて変調された光の強度を計測することが望ましい。空間光変調装置を計測のための状態とすること無く画像の表示と並行して計測を行うため、画像観賞へ及ぼす影響を低減できる。
【００１１】
また、本発明の好ましい態様としては、調整部は、空間光変調装置から出射される光の平均強度に応じて空間光変調装置からの光の強度を調整することが望ましい。光源部又は空間光変調装置の駆動の制御は、画像信号に基づいて演算された光の平均強度と、計測部により計測された光の平均強度の差分に基づいて行う。これにより、画像の色バランスを補正することができる。
【００１２】
また、本発明の好ましい態様としては、空間光変調装置からの光の光路内及び光路外へ計測部を移動させる移動部を有することが望ましい。これにより、空間光変調装置からの光の光路内の任意の位置において計測された光の強度に基づいて調整を行うことができる。空間光変調装置からの光の光路内で光の強度を計測することで、高い精度での計測ができる。これにより、高い精度で色バランスの調整ができる。光路内に計測部を置く期間をできるだけ短くすることで、画像観賞への影響を低減できる。
【００１３】
また、本発明の好ましい態様としては、移動部は、空間光変調装置からの光の光路内における複数の位置へ計測部を移動させることが望ましい。複数の位置へ計測部を移動させることで、計測部は、複数の位置において光の強度を計測できる。複数の位置での計測結果に基づいて調整を行うことで、色バランス調整の精度を向上させることができる。また、各位置での計測結果に基づいて空間光変調装置からの光の強度をエリアごとに調整することもできる。
【００１４】
また、本発明の好ましい態様としては、空間光変調装置からの光を投写させる投写レンズを有し、移動部は、投写レンズ内の像平面、又は像平面の近傍へ計測部を移動させることが望ましい。投写レンズ内の像平面、又はその近傍で光を計測することで、空間光変調装置から出射される光の平均強度を計測できる。また、光が集中する位置で光の強度を計測することで、高い精度での計測ができる。
【発明を実施するための最良の形態】
【００１５】
以下に図面を参照して、本発明の実施例を詳細に説明する。
【実施例１】
【００１６】
図１は、本発明の実施例１に係る画像表示装置であるプロジェクタ１０の概略構成を示す。プロジェクタ１０は、スクリーンへ光を投写させ、スクリーンで反射する光を観察することで画像を鑑賞するフロント投写型のプロジェクタである。プロジェクタ１０は、赤色（Ｒ）光用照明装置１１Ｒ、緑色（Ｇ）光用照明装置１１Ｇ、及び青色（Ｂ）光用照明装置１１Ｂを有する。
【００１７】
図２は、Ｒ光用照明装置１１Ｒの概略構成を示す。Ｒ光用ＬＥＤ１２Ｒは、Ｒ光を供給する固体光源である。フィールドレンズ１３は、Ｒ光用ＬＥＤ１２Ｒからの光束を平行化する。図１に戻って、Ｒ光用空間光変調装置１４Ｒは、Ｒ光用照明装置１１ＲからのＲ光を画像信号に応じて変調する透過型の液晶表示装置である。透過型液晶表示装置としては、例えば高温ポリシリコンＴＦＴ液晶パネル（High  Temperature  Polysilicon；ＨＴＰＳ）を用いることができる。Ｒ光用空間光変調装置１４Ｒで変調されたＲ光は、色合成光学系であるクロスダイクロイックプリズム１５へ入射する。
【００１８】
Ｇ光用照明装置１１Ｇ、Ｂ光用照明装置１１Ｂは、いずれもＲ光用照明装置１１Ｒと同様の構成を有する。Ｇ光用照明装置１１ＧのＧ光用ＬＥＤ１２Ｇは、Ｇ光を供給する固体光源である。Ｇ光用空間光変調装置１４Ｇは、Ｇ光用照明装置１１ＧからのＧ光を画像信号に応じて変調する透過型の液晶表示装置である。Ｇ光用空間光変調装置１４Ｇで変調されたＧ光は、クロスダイクロイックプリズム１５へ入射する。
【００１９】
Ｂ光用照明装置１１ＢのＢ光用ＬＥＤ１２Ｂは、Ｂ光を供給する固体光源である。Ｂ光用空間光変調装置１４Ｂは、Ｂ光用照明装置１１ＢからのＢ光を画像信号に応じて変調する透過型の液晶表示装置である。Ｂ光用空間光変調装置１４Ｂで変調されたＢ光は、クロスダイクロイックプリズム１５へ入射する。なお、各照明装置１１Ｒ、１１Ｇ、１１Ｂは、光束の強度分布を均一化させる均一化光学系、例えば、ロッドインテグレータやフライアイレンズ、重畳レンズ等を配置しても良い。
【００２０】
クロスダイクロイックプリズム１５は、互いに略直交するように配置された２つのダイクロイック膜１６、１７を有する。第１ダイクロイック膜１６は、Ｒ光を反射させ、Ｇ光及びＢ光を透過させる。第２ダイクロイック膜１７は、Ｂ光を反射させ、Ｒ光及びＧ光を透過させる。クロスダイクロイックプリズム１５は、それぞれ異なる側から入射したＲ光、Ｇ光及びＢ光を合成し、投写レンズ１８の方向へ出射させる。投写レンズ１８は、クロスダイクロイックプリズム１５からの光をスクリーン（不図示）へ投写させる。
【００２１】
プロジェクタ１０は、透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。また、色光ごとに設けられた空間光変調装置を用いる場合に限られず、共通の空間光変調装置へ各色光を順次供給する色順次方式による変調を行う構成としても良い。プロジェクタ１０は、光源部としてＬＥＤを用いる場合に限られない。光源部としては、例えば、ＬＥＤ以外の他の固体光源や、超高圧水銀ランプ等のランプを用いても良い。
【００２２】
マイクロコンピュータ等を備える制御装置２０は、各照明装置１１Ｒ、１１Ｇ、１１Ｂ及び各空間光変調装置１４Ｒ、１４Ｇ、１４Ｂの駆動を制御する。コンピュータ、ＤＶＤプレーヤ、ＴＶチューナ等の外部機器からの画像信号は、制御装置２０の画像信号処理部２１へ入力される。画像信号処理部２１は、画像信号の特性補正、増幅等により画像のリサイズ、ガンマ調整、色調整等を行う。また、画像信号処理部２１は、画像信号をＲ、Ｇ、Ｂの各映像データに分解する。空間光変調信号生成部２２は、画像信号処理部２１からの映像データに基づいて、空間光変調装置１４Ｒ、１４Ｇ、１４Ｂを駆動するための空間光変調信号を生成する。各空間光変調装置１４Ｒ、１４Ｇ、１４Ｂは、空間光変調信号生成部２２からの空間光変調信号に応じて駆動する。
【００２３】
光センサ２６は、空間光変調装置１４Ｒ、１４Ｇ、１４Ｂからの光の強度を計測する計測部である。光センサ２６としては、例えば、光電変換素子であるフォトダイオードを用いることができる。光センサ２６は、クロスダイクロイックプリズム１５から投写レンズ１８へ進行する光の光路外であって、クロスダイクロイックプリズム１５からの漏れ光が入射する位置に設けられている。ここで、漏れ光とは、光学部品等における乱反射により理想の光路から外れて進行する光を指す。クロスダイクロイックプリズム１５の出射側に光センサ２６を配置することで、クロスダイクロイックプリズム１５で合成された後のＲ光、Ｇ光、Ｂ光の各強度を計測できる。
【００２４】
本実施例において、光センサ２６は、例えば、全画面についての漏れ光が入射する位置に配置されている。これにより、全画面についての光の平均強度を算出できる。このように実効性の高い計測を行うことで、画像の色バランスを正確に調整することができる。空間光変調装置１４Ｒ、１４Ｇ、１４Ｂの外に光センサ２６を設置する構成とすることで、空間光変調装置１４Ｒ、１４Ｇ、１４Ｂ内に光センサ２６を設ける場合より製造コストを低減できる。また、空間光変調装置１４Ｒ、１４Ｇ、１４Ｂの外に光センサ２６を設置することで、光センサ２６の温度上昇に起因する計測ずれの補正も不要にできる。さらに、比較的強度が小さい漏れ光を光センサ２６へ入射させるため、光センサ２６の温度上昇を低減できる。
【００２５】
光センサ２６は、Ｒ光、Ｇ光、Ｂ光の各強度を計測可能であることを要する。光センサ２６は、Ｒ光のみを透過させるＲ光用フィルタ、Ｇ光のみを透過させるＧ光用フィルタ、Ｂ光のみを透過させるＢ光用フィルタを有する。各フィルタを設けることで、光センサ２６は、各色光の強度を同時に計測できる。この他、光センサ２６による計測時にＲ光、Ｇ光、Ｂ光を順次出射させることで、各色光の強度を順次計測することとしても良い。光センサ２６は、Ｒ光、Ｇ光、Ｂ光に対して人間の視感度に近い感度を持つものであることが望ましい。
【００２６】
光センサ駆動部２５は、光センサ２６へ電流を供給することにより光センサ２６を駆動させる。また、光センサ駆動部２５は、電流電圧変換回路、増幅回路、ＡＤコンバータを備える。電流電圧変換回路は、光センサ２６における電流の変化量を電圧値に変換する。増幅回路は、光センサ２６による出力を計測レベルに応じて増幅させる。増幅回路における増幅の倍率は、後述の調整部２３からの出力に応じて調整される。ＡＤコンバータは、光センサ２６による出力をディジタル値に変換する。光センサ２６による計測の結果は、ディジタルデータとして光センサ駆動部２５から調整部２３へ入力される。
【００２７】
調整部２３は、計測部である光センサ２６による計測の結果に基づいて光源駆動信号を生成する。各光源駆動部２４Ｒ、２４Ｇ、２４Ｂは、調整部２３からの光源駆動信号に応じて変調された電流、電力又は電圧を供給する。Ｒ光用光源駆動部２４Ｒは、調整部２３からの光源駆動信号に応じてＲ光用ＬＥＤ１２Ｒを駆動させる。Ｇ光用光源駆動部２４Ｇは、調整部２３からの光源駆動信号に応じてＧ光用ＬＥＤ１２Ｇを駆動させる。Ｂ光用光源駆動部２４Ｂは、調整部２３からの光源駆動信号に応じてＢ光用ＬＥＤ１２Ｂを駆動させる。調整部２３は、光源駆動信号により光源部である各ＬＥＤ１２Ｒ、１２Ｇ、１２Ｂの駆動をフィードバック制御する。
【００２８】
光の強度の調整を開始するとき、各空間光変調装置１４Ｒ、１４Ｇ、１４Ｂは、通常の表示モードから光の強度を調整するための調整モードへ切り替えられる。表示モードは、画像信号に応じて制御される第１の状態である。調整モードは、画像信号以外の他の信号である調整部２３からの制御信号に応じて制御される第２の状態である。計測部である光センサ２６は、調整モードにおいて空間光変調装置１４Ｒ、１４Ｇ、１４Ｂからの光の強度を計測する。
【００２９】
調整部２３は、各空間光変調装置１４Ｒ、１４Ｇ、１４Ｂを調整モードへ切り替えるための制御信号を空間光変調信号生成部２２へ出力する。空間光変調信号生成部２２は、調整部２３からの制御信号に応じて、各空間光変調装置１４Ｒ、１４Ｇ、１４Ｂを調整モードへ変化させるための調整用信号を出力する。各空間光変調装置１４Ｒ、１４Ｇ、１４Ｂは、空間光変調信号生成部２２からの調整用信号に応じて駆動する。
【００３０】
図３は、調整部２３により各空間光変調装置１４Ｒ、１４Ｇ、１４Ｂからの光の強度を調整する手順を示すフローチャートである。ステップＳ１において、各空間光変調装置１４Ｒ、１４Ｇ、１４Ｂは、調整用信号に応じて調整モードに設定される。図４のタイミングチャートに示すように、空間光変調信号として画像信号が入力される期間同士の間の１フレーム期間において、調整用信号は入力される。調整用信号により、例えば、全画面について最高階調である２５５階調を表示するための駆動がなされる。各色光を２５５階調とすることで、全画面を白色とする表示がなされる。
【００３１】
次に、ステップＳ２において、光センサ２６によりＲ光、Ｇ光、Ｂ光の各強度が計測される。光センサ２６による計測は、光センサ駆動部２５から光センサ２６への電流の供給に応じて行われる。光センサ駆動部２５から光センサ２６への電流の供給は、調整部２３によって制御される。光センサ２６は、画像信号に応じて変調された光が出射される間の一定期間内である１フレーム期間内において光の強度を計測する。図４に示すように、光センサ２６による光の強度の計測は、各空間光変調装置１４Ｒ、１４Ｇ、１４Ｂが調整用信号に応じて駆動する１フレーム期間のうちできるだけ遅いタイミングでなされる。これにより、各空間光変調装置１４Ｒ、１４Ｇ、１４Ｂが調整用信号に応じて透過率が十分安定した後に計測を行い、各色光の強度を正確に計測することができる。
【００３２】
光源部である各ＬＥＤ１２Ｒ、１２Ｇ、１２Ｂは、各空間光変調装置１４Ｒ、１４Ｇ、１４Ｂが調整モードとなる間、それより前の通常の表示モードのときの制御値Ａで制御される。この場合、各ＬＥＤ１２Ｒ、１２Ｇ、１２Ｂが制御値Ａで制御されるときの各色光の強度に基づいた調整を行うことができる。この他、各空間光変調装置１４Ｒ、１４Ｇ、１４Ｂが調整モードとなる間、調整の目的に応じて適宜設定された制御値により各ＬＥＤ１２Ｒ、１２Ｇ、１２Ｂを制御することとしても良い。各空間光変調装置１４Ｒ、１４Ｇ、１４Ｂが調整モードとなる間、各空間光変調装置１４Ｒ、１４Ｇ、１４Ｂの透過率は、最高階調である２５５階調を表示する状態に設定される。各色光を２５５階調とすることで、全画面を白色とする表示がなされる。
【００３３】
次に、ステップＳ３において、各ＬＥＤ１２Ｒ、１２Ｇ、１２Ｂに対する補正値を演算する。図４に示すように、補正値の演算は、光センサ２６による計測の直後になされる。例えば、図５に示すように、白色表示におけるＲ、Ｇ、Ｂの電圧基準値がそれぞれ１．０００、４．５９１、０．０６０（任意単位。以下同じ。）と設定されたとする。電圧基準値は、設定に用いられる白色の色温度等に応じて変動する。設定に用いられる白色の色温度等の設定条件は、図１に示すように、調整部２３へ入力される。
【００３４】
そして、ステップＳ２において計測されたＲ、Ｇ、Ｂについての計測値がそれぞれ１．０００、５．０５０、０．０６０であったとする。これらを比較すると、Ｒ、Ｂの計測値は基準値と同じであるのに対して、Ｇの計測値は基準値を略１０％上回っている。この結果から、調整部２３は、Ｇ光の強度を略１０％低下させたときの電流値を補正値として算出する。光の強度と電流値とがリニアな関係にある場合、調整前の電流値を略１０％低下させた電流値が補正値とされる。補正値は、例えば、パルス幅変調（ＰＷＭ）信号のパルス幅として出力される。各色光の強度と電流値との関係は、初期データとして例えば調整部２３に記憶されている。各色光の強度と電流値との関係についてのデータは、随時更新される。
【００３５】
ステップＳ４では、調整部２３からの光源駆動信号に応じて各ＬＥＤ１２Ｒ、１２Ｇ、１２Ｂの駆動を制御する。各ＬＥＤ１２Ｒ、１２Ｇ、１２Ｂに対する光源駆動信号は、ステップＳ３において演算された補正値に基づいて生成される。各ＬＥＤ１２Ｒ、１２Ｇ、１２Ｂは、調整により、制御値Ａとは異なる制御値Ｂで制御される。制御値Ｂは、制御値Ａの場合よりＧ光の強度が略１０％小さくなるように設定される。ここでは各空間光変調装置１４Ｒ、１４Ｇ、１４Ｂの透過率の設定についての変更は行われないため、各空間光変調装置１４Ｒ、１４Ｇ、１４Ｂの透過率は、調整前の設定Ａのままとされる。なお、ステップＳ２における計測が次のフレームに切り換わる直前になされる場合、ステップＳ３における補正値の演算は、計測がなされたフレームの次のフレームにて行うこととしても良い。
【００３６】
各ＬＥＤ１２Ｒ、１２Ｇ、１２Ｂの駆動を制御することで、各空間光変調装置１４Ｒ、１４Ｇ、１４Ｂからの光の強度を調整する。各色光の強度を調整することにより、画像の色バランスを補正する。色バランスの変化が主に各ＬＥＤ１２Ｒ、１２Ｇ、１２Ｂの経時変化によるものであると予測できる場合、各ＬＥＤ１２Ｒ、１２Ｇ、１２Ｂの駆動を制御することで、高い色再現性を維持することができる。以上説明した調整は、例えば、プロジェクタ１０が画像表示を１分間行うごとに１回程度行うことができる。画像表示１分間のうち１回程度であれば、画像観賞に対して殆ど影響を及ぼすこと無く色バランスの調整を行うことができる。かかる調整を行う頻度は、例えば調整部２３に記憶されている。また、調整を行う頻度は、設定条件の入力により適宜変更することができる。
【００３７】
光センサ２６による計測時において、各ＬＥＤ１２Ｒ、１２Ｇ、１２Ｂの駆動を適宜制御することとしても良い。例えば、ユーザによる設定や画像の内容に応じて各色光の強度を変更する場合に、目的に応じて各ＬＥＤ１２Ｒ、１２Ｇ、１２Ｂの駆動を制御することができる。各ＬＥＤ１２Ｒ、１２Ｇ、１２Ｂの駆動を制御するときに計測を行うことで、目的に応じて各色光の強度を変更するときの色バランスを調整することができる。
【００３８】
図６は、調整部２３により各空間光変調装置１４Ｒ、１４Ｇ、１４Ｂからの光の強度を調整する他の手順を示すフローチャートである。図３に示す手順では白色を表示する間に計測を行うのに対して、ここでは、白色を表示する間、及び黒色を表示する間に計測を行う。ステップＳ１１において、図３に示すステップＳ１と同様に、各空間光変調装置１４Ｒ、１４Ｇ、１４Ｂは、最高階調である２５５階調を表示するための駆動を行う。各色光を２５５階調とすることで、全画面を白色とする表示がなされる。ステップＳ１２では、ステップＳ２と同様に、Ｒ光、Ｇ光、Ｂ光の各強度が計測される。
【００３９】
次に、ステップＳ１３において、各空間光変調装置１４Ｒ、１４Ｇ、１４Ｂは、全画面について最低階調である０階調を表示するための駆動を行う。各色光を０階調とすることで、全画面を黒色とする表示がなされる。ステップＳ１４では、光センサ２６によりＲ光、Ｇ光、Ｂ光の各強度が計測される。ステップＳ１５では、ステップＳ１２及びステップＳ１４における計測の結果に基づいて各ＬＥＤ１２Ｒ、１２Ｇ、１２Ｂに対する補正値を演算する。
【００４０】
例えば、図７に示すように、白色表示におけるＲ、Ｇ、Ｂの電圧基準値がそれぞれ１．０００、４．５９１、０．０６０であるのに対して、白色表示における計測値が１．０００、５．０５０、０．０６０であるとする。また、黒色表示におけるＲ、Ｇ、Ｂの電圧基準値がそれぞれ０．０１０００、０．０４５９１、０．０００６０であるのに対して、黒色表示における計測値が０．０１０００、０．０５０５０、０．０００６０であるとする。
【００４１】
これらを比較すると、白色表示、黒色表示のいずれにおいてもＲ、Ｂの計測値は基準値と同じであるのに対して、Ｇの計測値は、白色表示、黒色表示のいずれにおいても基準値を略１０％上回っている。この結果から、調整部２３は、Ｇ光の強度を略１０％低下させたときの電流値を補正値として算出する。ステップＳ１６では、調整部２３からの光源駆動信号に応じて各ＬＥＤ１２Ｒ、１２Ｇ、１２Ｂの駆動を制御する。
【００４２】
図８は、調整部２３により各空間光変調装置１４Ｒ、１４Ｇ、１４Ｂからの光の強度を調整するさらに他の手順を示すフローチャートである。図３に示す手順、図６に示す手順においては各ＬＥＤ１２Ｒ、１２Ｇ、１２Ｂの制御により各空間光変調装置１４Ｒ、１４Ｇ、１４Ｂからの光の強度を調整する。これに対して、ここでは、各空間光変調装置１４Ｒ、１４Ｇ、１４Ｂの透過率の設定を変更することにより各空間光変調装置１４Ｒ、１４Ｇ、１４Ｂからの光の強度を調整する。
【００４３】
ステップＳ２１において、図３に示すステップＳ１と同様に、各空間光変調装置１４Ｒ、１４Ｇ、１４Ｂは、２５５階調を表示するための駆動を行う。ステップＳ２２では、ステップＳ２と同様に、Ｒ光、Ｇ光、Ｂ光の各強度が計測される。ステップＳ２３では、図６に示すステップＳ１３と同様に、各空間光変調装置１４Ｒ、１４Ｇ、１４Ｂは、０階調を表示するための駆動を行う。ステップＳ２４では、ステップＳ１４と同様に、Ｒ光、Ｇ光、Ｂ光の各強度が計測される。ステップＳ２５では、ステップＳ２２及びステップＳ２４における計測の結果に基づいて各空間光変調装置１４Ｒ、１４Ｇ、１４Ｂに対する補正値を演算する。
【００４４】
例えば、図９に示すように、白色表示におけるＲ、Ｇ、Ｂの電圧基準値がそれぞれ１．０００、４．５９１、０．０６０であるのに対して、白色表示における計測値が１．０００、５．０５０、０．０６０であるとする。また、黒色表示におけるＲ、Ｇ、Ｂの電圧基準値、黒色表示における計測値がいずれも０．０１０００、０．０４５９１、０．０００６０であるとする。これらを比較すると、Ｒ、Ｂの計測値は、白色表示、黒色表示のいずれにおいても基準値と同じである。Ｇの計測値は、黒色表示において基準値と同じであって、白色表示において基準値を略１０％上回っている。
【００４５】
２５５階調及び０階調におけるＧ光の強度の計測結果から、Ｇ光用空間光変調装置１４Ｇは、図１０に示すように、０階調から２５５階調にかけて徐々に強度が基準値より大きくなる特性にあると推測できる。この結果から、調整部２３は、Ｇ光用空間光変調装置１４Ｇに対して、０階調から２５５階調にかけて調整前よりも液晶の透過率を徐々に低くするような駆動電圧の補正値を算出する。
【００４６】
ステップＳ２６では、調整部２３からの出力に応じて、各空間光変調装置１４Ｒ、１４Ｇ、１４Ｂの透過率の設定の変更がなされる。空間光変調信号生成部２２は、調整部２３で演算された補正値を用いて補正された空間光変調信号を生成する。このようにして、調整部２３は、各空間光変調装置１４Ｒ、１４Ｇ、１４Ｂの駆動を制御することにより、各空間光変調装置１４Ｒ、１４Ｇ、１４Ｂからの光の強度を調整する。
【００４７】
図６に示す手順及び図８に示す手順は、色バランスの変化がＬＥＤ１２Ｒ、１２Ｇ、１２Ｂの経時変化によるものか、空間光変調装置１４Ｒ、１４Ｇ、１４Ｂの経時変化によるものかが不明な場合に有用である。なお、プロジェクタ１０は、ＬＥＤ１２Ｒ、１２Ｇ、１２Ｂ、空間光変調装置１４Ｒ、１４Ｇ、１４Ｂのいずれか一方のみの調整を行う場合に限られない。光センサ２６による計測の結果に応じて、ＬＥＤ１２Ｒ、１２Ｇ、１２Ｂ、空間光変調装置１４Ｒ、１４Ｇ、１４Ｂの双方を調整することとしても良い。
【００４８】
例えば、光センサ２６による計測の結果に応じて、まずＬＥＤ１２Ｒ、１２Ｇ、１２Ｂに対する補正値を演算する。さらに、ＬＥＤ１２Ｒ、１２Ｇ、１２Ｂの調整のみでは解消されない色バランスずれに応じて、空間光変調装置１４Ｒ、１４Ｇ、１４Ｂに対する補正値を演算する。これにより、色バランスの変化がＬＥＤ１２Ｒ、１２Ｇ、１２Ｂ、及び空間光変調装置１４Ｒ、１４Ｇ、１４Ｂの経時変化によるものである場合にも色バランスを補正することができる。
【００４９】
本発明のプロジェクタ１０は、空間光変調装置１４Ｒ、１４Ｇ、１４Ｂからの光の強度に応じた調整により、ＬＥＤ１２Ｒ、１２Ｇ、１２Ｂのみならず空間光変調装置１４Ｒ、１４Ｇ、１４Ｂが経時変化を生じた場合であっても高い色再現性を維持することができる。以上から、製造コストを低減でき、かつ高い色再現性を実現できるという効果を奏する。空間光変調装置１４Ｒ、１４Ｇ、１４Ｂからの光の強度に応じた調整により、高いコントラストも維持することができる。
【００５０】
なお、調整部２３で演算された補正値は、ＬＥＤ１２Ｒ、１２Ｇ、１２Ｂや空間光変調装置１４Ｒ、１４Ｇ、１４Ｂの駆動に対し一度に反映させず、段階的に反映させることが望ましい。現状の値から補正値まで、例えば１〜数秒間の複数のフレームを用いて段階的に変化させることで、ちらつき等の違和感を低減することができる。
【００５１】
調整モードにおいて、全画面について最高階調、最低階調とする場合に限られない。調整モードにおける階調は任意である。また、例えば、白色及び黒色に加えて、中間階調である１２８階調のグレー表示において各色光を計測することとしても良い。多くの階調について計測を行うことで、色バランス調整の精度を高めることができる。また、例えば、０階調の黒色表示の場合に計測の誤差が生じ易い場合、黒色表示に代えて、黒色に近いグレー表示を行うこととしても良い。これにより、色バランス調整の精度を高めることができる。Ｒ光、Ｇ光、Ｂ光を順次出射させ、各色光の計測を順次行う場合、Ｒ、Ｇ、Ｂの例えば２５５階調の表示を順次行うこととする。この場合、各ＬＥＤ１２Ｒ、１２Ｇ、１２Ｂは、計測を行う色光以外の色光の出射を停止させるように制御される。
【００５２】
また、空間光変調装置１４Ｒ、１４Ｇ、１４Ｂは、調整モードにおける全画面の階調が、直前の表示モード、直後の表示モードのうち少なくとも一方における全画面の階調の平均値と略一致するように制御されることとしても良い。例えば、調整モードの直前の表示モードにおいて、各色光について１００階調５０％、１２０階調５０％とする画像を表示していたとすると、調整モードでは、各色光について全画面を１１０階調とする。表示モードにおける階調の平均値と調整モードにおける全画面の階調とを略一致させることで、画像のちらつきを低減することができる。
【００５３】
光センサ２６は、表示モードから切り替えられた調整モードにおける空間光変調装置１４Ｒ、１４Ｇ、１４Ｇからの光の強度を計測する場合に限られない。光センサ２６は、画像信号に応じて変調された光の強度を計測する、つまり表示モードにおける空間光変調装置１４Ｒ、１４Ｇ、１４Ｇからの光の強度を計測することとしても良い。この場合、表示モードと調整モードとを切り替えるための空間光変調装置１４Ｒ、１４Ｇ、１４Ｂの制御は不要である。空間光変調装置１４Ｒ、１４Ｇ、１４Ｂを計測のための状態とすること無く画像の表示と並行して計測を行うため、画像観賞へ及ぼす影響を低減できる。
【００５４】
画像信号に応じて変調された光の強度を計測する場合、調整部２３は、空間光変調装置１４Ｒ、１４Ｇ、１４Ｂから出射される光の平均強度に応じて空間光変調装置１４Ｒ、１４Ｇ、１４Ｂからの光の強度を調整することができる。画像信号に基づいて演算された光の平均強度と、光センサ２６により計測された光の平均強度の差分に基づいて、ＬＥＤ１２Ｒ、１２Ｇ、１２Ｂ又は空間光変調装置１４Ｒ、１４Ｇ、１４Ｂの駆動の制御を行う。これにより、画像の色バランスを補正することができる。
【００５５】
また、画像信号に応じて光の強度を計測するタイミングを決定することとしても良い。例えば、全画面を白色、黒色、若しくはこれらに近似する色（明るいグレーや濃いグレー）とする表示は、通常のビデオ映像やテレビ映像において比較的高い頻度で現れる。全画面を白色や黒色等とするタイミングは、画像信号を解析することで検出できる。これらの表示は通常数フレーム継続するものであるから、かかるタイミングを検出した後に光の強度を計測することが可能である。これらのタイミングを利用して光の強度を計測することで、調整モードへ切り替える制御を行う場合と同様に調整を行うことができる。
【００５６】
なお、光センサ２６は、全画面についての漏れ光の強度を計測する場合に限られず、全画面のうちの一部についての漏れ光の強度を計測することとしても良い。この場合、漏れ光の強度を計測する範囲について色バランスの補正を行うことができる。光センサ２６は、複数であっても良い。この場合、各光センサ２６による計測結果に基づいて全画面について一括して調整を行うこととしても良く、画面のエリアごとに調整を行うこととしても良い。また、画像表示へ影響を及ぼさなければ、漏れ光を光センサ２６へ集光させるための光学素子を設けることとしても良い。
【００５７】
光センサ２６は、クロスダイクロイックプリズム１５の出射側に設ける場合に限られない。光センサ２６は、空間光変調装置１４Ｒ、１４Ｇ、１４Ｂからの光の強度を計測可能であれば良く、少なくとも空間光変調装置１４Ｒ、１４Ｇ、１４Ｂより出射側に設けられていればよい。
【実施例２】
【００５８】
図１１は、本発明の実施例２に係る画像表示装置であるプロジェクタ３０の概略構成を示す。本実施例のプロジェクタ３０は、移動部であるモータ３１を有することを特徴とする。上記実施例１と同一の部分には同一の符号を付し、重複する説明を省略する。モータ３１は、所定のステップ単位で回転するステッピングモータである。
【００５９】
図１２は、光センサ２６及びモータ３１が設けられた部分について説明するものである。図１３は、光センサ２６及びモータ３１が設けられた部分を投写レンズ１８側から見た状態を示す。モータ３１には、アーム３２の一端が連結されている。光センサ２６は、アーム３２の両端のうちモータ３１と連結された端とは反対の端に取り付けられている。モータ３１の回転により、光センサ２６は、位置Ｐ１と位置Ｐ０との間を移動する。位置Ｐ１は、クロスダイクロイックプリズム１５の出射面の中心に対向する位置である。位置Ｐ１は、空間光変調装置１４Ｒ、１４Ｇ、１４Ｂからの光の光路内にある。
【００６０】
位置Ｐ０は、クロスダイクロイックプリズム１５の出射面より上側の位置である。位置Ｐ０は、空間光変調装置１４Ｒ、１４Ｇ、１４Ｂからの光の光路外にある。モータ３１は、空間光変調装置１４Ｒ、１４Ｇ、１４Ｂからの光の光路内及び光路外の間で光センサ２６を移動させる。また、空間光変調装置１４Ｒ、１４Ｇ、１４Ｂからの光はクロスダイクロイックプリズム１５から遠くなるほど広がるため、モータ３１は、光センサ２６をできるだけクロスダイクロイックプリズム１５に近い位置へ移動可能であることが望ましい。
【００６１】
通常の表示モードにおいて、光センサ２６は、位置Ｐ０に置かれる。モータ３１は、光センサ２６が光を計測する直前に、光センサ２６を位置Ｐ０から位置Ｐ１へ移動させる。そして、光センサ２６が光を計測した直後に、モータ３１は、光センサ２６を位置Ｐ１から位置Ｐ０へ移動させる。空間光変調装置１４Ｒ、１４Ｇ、１４Ｂからの光の光路中にて計測を行うことで、空間光変調装置１４Ｒ、１４Ｇ、１４Ｂからの光を正確に検出可能となる。また、大きな強度の光を検出可能とすることで、高いＳＮ比を実現し、高精度な補正が可能となる。
【００６２】
光路の中心付近における光は、画像の状態へ大きく影響を及ぼす。このように実効性の高い計測を行うことで、画像の色バランスを正確に調整することができる。光センサ２６へは瞬間的に光を入射させるため、光センサ２６の温度上昇に起因する計測ずれの補正を不要にできる。これにより、製造コストを低減でき、かつ高い色再現性を実現できる。光路内に光センサ２６を置く期間をできるだけ短く、例えば１フレーム期間程度とすることで、画像観賞への影響を低減できる。
【００６３】
なお、モータ３１は、通常の表示モードにおいて、クロスダイクロイックプリズム１５の出射面より下側の位置Ｐ０’に光センサ２６を移動させても良い。モータ３１は、位置Ｐ０及び位置Ｐ１の間において光センサ２６を往復させる他、位置Ｐ１及び位置Ｐ０’の間において光センサ２６を往復させても良い。また、モータ３１は、位置Ｐ０及び位置Ｐ０’の間において光センサ２６を往復させても良い。この場合、位置Ｐ０から位置Ｐ０’へ光センサ２６が移動する間と、位置Ｐ０’から位置Ｐ０へ光センサ２６が移動する間とにおいて光を計測することができる。
【００６４】
また、モータ３１は、空間光変調装置１４Ｒ、１４Ｇ、１４Ｂからの光の光路内における複数の位置へ光センサ２６を移動させることとしても良い。例えば、モータ３１は、光路内の３つの位置Ｐ２、Ｐ１、Ｐ２’と、光路外の位置Ｐ０とにおいて光センサ２６を移動させても良い。位置Ｐ２、Ｐ１、Ｐ２’は、クロスダイクロイックプリズム１５の出射面の上部、中心、下部にそれぞれ対応している。
【００６５】
位置Ｐ２において、光センサ２６は、クロスダイクロイックプリズム１５の出射面の上部から出射された光を主に計測する。位置Ｐ１において、光センサ２６は、クロスダイクロイックプリズム１５の出射面の中心から出射された光を主に計測する。位置Ｐ２’において、光センサ２６は、クロスダイクロイックプリズム１５の出射面の下部から出射された光を主に計測する。複数の位置での計測結果に基づいて調整を行うことで、色バランス調整の精度を向上させることができる。
【００６６】
また、各位置での計測結果に基づいて空間光変調装置１４Ｒ、１４Ｇ、１４Ｂからの光の強度をエリアごとに調整することとしても良い。光の計測を行うときの光センサ２６の位置は、モータ３１及びアーム３２の構成及び駆動に応じて適宜変更することができる。これにより、空間光変調装置１４Ｒ、１４Ｇ、１４Ｂからの光の光路内の任意の位置において計測された光の強度に基づいて調整を行うことができる。
【００６７】
図１４は、実施例２の変形例１について説明するものである。本変形例で用いられるモータ４１は、直線運動を行うリニアモータである。モータ４１は、光センサ２６を移動させる移動部である。アーム４２は、モータ４１を貫通させて設けられている。アーム４２は、モータ４１の駆動により水平方向について移動する。光センサ２６は、アーム４２の一端に取り付けられている。
【００６８】
図１５は、光センサ２６及びモータ４１が設けられた部分を投写レンズ１８側から見た状態を示す。モータ４１の駆動により、光センサ２６は、位置Ｐ４と位置Ｐ３との間を移動する。位置Ｐ４は、クロスダイクロイックプリズム１５の出射面の中心に対向する位置である。位置Ｐ４は、空間光変調装置１４Ｒ、１４Ｇ、１４Ｂからの光の光路内にある。位置Ｐ３は、クロスダイクロイックプリズム１５の出射面より左側の位置である。位置Ｐ３は、空間光変調装置１４Ｒ、１４Ｇ、１４Ｂからの光の光路外にある。モータ４１は、空間光変調装置１４Ｒ、１４Ｇ、１４Ｂからの光の光路内及び光路外の間で光センサ２６を移動させる。
【００６９】
通常の表示モードにおいて、光センサ２６は、位置Ｐ３に置かれる。モータ４１は、光センサ２６が光を計測する直前に、光センサ２６を位置Ｐ３から位置Ｐ４へ移動させる。そして、光センサ２６が光を計測した直後に、モータ４１は、光センサ２６を位置Ｐ４から位置Ｐ３へ移動させる。本変形例の場合も、空間光変調装置１４Ｒ、１４Ｇ、１４Ｂからの光の光路の略中心へ移動させた光センサ２６により光を計測することで、高い精度での計測ができる。
【００７０】
モータ４１は、通常の表示モードにおいて、クロスダイクロイックプリズム１５の出射面より右側の位置Ｐ３’に光センサ２６を移動させても良い。モータ４１は、位置Ｐ３及び位置Ｐ４の間において光センサ２６を往復させる他、位置Ｐ４及び位置Ｐ３’の間において光センサ２６を往復させても良い。また、モータ４１は、位置Ｐ３及び位置Ｐ３’の間において光センサ２６を往復させても良い。この場合、位置Ｐ３から位置Ｐ３’へ光センサ２６が移動する間と、位置Ｐ３’から位置Ｐ３へ光センサ２６が移動する間とにおいて光を計測することができる。
【００７１】
本変形例の場合も、モータ４１は、空間光変調装置１４Ｒ、１４Ｇ、１４Ｂからの光の光路内における複数の位置へ光センサ２６を移動させることとしても良い。例えば、モータ４１は、光路内の３つの位置Ｐ５、Ｐ４、Ｐ５’と、光路外の位置Ｐ３とにおいて光センサ２６を移動させても良い。位置Ｐ５、Ｐ４、Ｐ５’は、クロスダイクロイックプリズム１５の出射面の左部、中心、右部にそれぞれ対応している。光の計測を行うときの光センサ２６の位置は、モータ４１及びアーム４２の構成及び駆動に応じて適宜変更することができる。光センサ２６の位置は、例えばエンコーダを用いることにより正確に制御することができる。
【００７２】
図１６は、実施例２の変形例２について説明するものである。本変形例で用いられるリニアアクチュエータ５０は、直線運動を行う。リニアアクチュエータ５０は、光センサ２６を移動させる移動部である。アーム５４は、複数のローラ５３によって挟持されている。アーム５４は、ローラ５３の回転により、水平方向へ容易に動くことができる。光センサ２６は、アーム５４の一端に取り付けられている。振動体５１は、当接部５２をアーム５４に当接させた状態で、リニアアクチュエータ５０内に設置されている。アーム５４は、当接部５２により押さえつけられることにより水平方向へ自由に動かないよう固定されている。
【００７３】
振動体５１は、圧電素子及びステンレス鋼を用いて構成されている。圧電素子は、電圧を印加することにより伸縮する。振動体５１は、圧電素子の伸縮により振動を発生させる。振動体５１は、圧電素子への電圧の印加方法によって当接部５２の振動方向を適宜変化させることができる。両矢印で示す斜め方向へ当接部５２を振動させると、アーム５４は、水平方向について往復運動する。リニアアクチュエータ５０を用いることで、上記の変形例１の場合と同様に、水平方向について光センサ２６を移動させることができる。本変形例の場合も、空間光変調装置１４Ｒ、１４Ｇ、１４Ｂからの光の光路の略中心へ移動させた光センサ２６により光を計測することで、高い精度での計測ができる。
【００７４】
本実施例において、空間光変調装置１４Ｒ、１４Ｇ、１４Ｂは、光路内における光センサ２６の位置に対応する部分のみを表示モードから調整モードへ切り替えることとしても良い。一部のみを調整モードへ切り替えることで、光センサ２６の位置に対応する部分以外の部分で画像表示を継続できる。よって、さらに画像観賞へ及ぼす影響を低減することができる。また、上記実施例１の場合と同様に、画像信号に応じて変調された光の強度を計測することで色バランスの調整を行うこととしても良い。
【００７５】
なお、本実施例において、移動部は、クロスダイクロイックプリズム１５の出射面に対向する位置へ光センサ２６を移動させる場合に限られない。例えば、図１７に示すように、移動部であるモータ６１は、投写レンズ１８内において光センサ２６を移動させる。モータ６１は、光センサ２６が光を計測する直前に、空間光変調装置１４Ｒ、１４Ｇ、１４Ｂの像が結像される像平面へ光センサ２６を移動させる。
【００７６】
投写レンズ１８内の像平面へ光センサ２６を移動させることで、空間光変調装置１４Ｒ、１４Ｇ、１４Ｂから出射される光の平均強度を計測できる。また、光が集中する位置で光の強度を計測することで、さらに高いＳＮ比を実現し、さらに高精度な補正が可能となる。なお、移動部は、投写レンズ１８内の像平面へ光センサ２６を移動させる他、像平面の近傍へ光センサ２６を移動させることとしても良い。本発明に係る画像表示装置は、プロジェクタに限られない。画像表示装置は、例えば、いわゆる直視型のディスプレイであっても良い。
【産業上の利用可能性】
【００７７】
以上のように、本発明に係る画像表示装置は、画像信号に応じたカラー画像を表示する場合に有用である。
【図面の簡単な説明】
【００７８】
【図１】本発明の実施例１に係るプロジェクタの概略構成を示す図。
【図２】Ｒ光用照明装置の概略構成を示す図。
【図３】各空間光変調装置からの光の強度を調整する手順を示すフローチャート。
【図４】光の強度を計測するタイミング等を説明する図。
【図５】電圧基準値及び計測値の例を示す図。
【図６】各空間光変調装置からの光の強度を調整する手順を示すフローチャート。
【図７】電圧基準値及び計測値の例を示す図。
【図８】各空間光変調装置からの光の強度を調整する手順を示すフローチャート。
【図９】電圧基準値及び計測値の例を示す図。
【図１０】空間光変調装置の特性について説明する図。
【図１１】本発明の実施例２に係るプロジェクタの概略構成を示す図。
【図１２】光センサ及びモータが設けられた部分について説明する図。
【図１３】光センサ及びモータが設けられた部分について説明する他の図。
【図１４】実施例２の変形例１について説明する図。
【図１５】光センサ及びモータが設けられた部分について説明する図。
【図１６】実施例２の変形例２について説明する図。
【図１７】投写レンズ内において光センサを移動させる場合について説明する図。
【符号の説明】
【００７９】
１０  プロジェクタ、１１Ｒ  Ｒ光用照明装置、１１Ｇ  Ｇ光用照明装置、１１Ｂ  Ｂ光用照明装置、１２Ｒ  Ｒ光用ＬＥＤ、１２Ｇ  Ｇ光用ＬＥＤ、１２Ｂ  Ｂ光用ＬＥＤ、１３  フィールドレンズ、１４Ｒ  Ｒ光用空間光変調装置、１４Ｇ  Ｇ光用空間光変調装置、１４Ｂ  Ｂ光用空間光変調装置、１５  クロスダイクロイックプリズム、１６  第１ダイクロイック膜、１７  第２ダイクロイック膜、１８  投写レンズ、２０  制御装置、２１  画像信号処理部、２２  空間光変調信号生成部、２３  調整部、２４Ｒ  Ｒ光用光源駆動部、２４Ｇ  Ｇ光用光源駆動部、２４Ｂ  Ｂ光用光源駆動部、２５  光センサ駆動部、２６  光センサ、３０  プロジェクタ、３１  モータ、３２  アーム、４１  モータ、４２  アーム、５０  リニアアクチュエータ、５１  振動体、５２  当接部、５３  ローラ、５４  アーム、６１  モータ
【図１】
2008102305.tif 000003
【図２】
2008102305.tif 000004
【図３】
2008102305.tif 000005
【図４】
2008102305.tif 000006
【図５】
2008102305.tif 000007
【図６】
2008102305.tif 000008
【図７】
2008102305.tif 000009
【図８】
2008102305.tif 000010
【図９】
2008102305.tif 000011
【図１０】
2008102305.tif 000012
【図１１】
2008102305.tif 000013
【図１２】
2008102305.tif 000014
【図１３】
2008102305.tif 000015
【図１４】
2008102305.tif 000016
【図１５】
2008102305.tif 000017
【図１６】
2008102305.tif 000018
【図１７】
2008102305.tif 000019